(57)【特許請求の範囲】
【請求項１】
棚受けに前後方向に摺動自在に載置された棚板と、
前記棚板と共に前後方向に摺動自在であり、前記棚板の前側と前記棚受けとの分離と係止を行う係脱部材と、
前記棚板又は前記棚受けの一方に設置され前後方向に延在した棚板案内部材と、
前記棚板又は前記棚受けの他方に設置され前記棚板が前記棚受け上に載置されているときは前記棚板案内部材に当たって前記棚板の上方への飛び出しを規制し、該棚板が該棚受けの前方に摺動したときは該棚板案内部材から外れるよう形成した保持部材とを具備する
ショーケースの棚装置。
【請求項２】
棚受けに前後方向に摺動自在に載置された棚板と、
前記棚板と共に前後方向に摺動自在であり、前記棚板の前側と前記棚受けとの分離と係止を行う係脱部材と、
前記棚受けの後端に設置され前記棚板の後端を着脱可能に挟持する挟持部材とを具備する
ショーケースの棚装置。
【請求項３】
棚受けに前後方向に摺動自在に載置された棚板と、
前記棚板と共に前後方向に摺動自在であり、前記棚板の前側と前記棚受けとの分離と係止を行う係脱部材と、
前記棚板又は前記棚受けの一方に設置され前後方向に延在した棚板案内部材と、
前記棚板又は前記棚受けの他方に設置され前記棚板が前記棚受け上に載置されているときは前記棚板案内部材に当たって前記棚板の上方への飛び出しを規制し、該棚板が該棚受けの前方に摺動したときは該棚板案内部材から外れるよう形成した保持部材と、
前記棚受けの後端に設置され前記棚板の後端を着脱可能に挟持する挟持部材とを具備する
ショーケースの棚装置。
【発明の詳細な説明】
【０００１】
【発明の属する技術分野】
本発明は、ショーケースに複数段に設置され棚装置、特に棚板を収納及び引き出しができる棚装置に関するものである。
【０００２】
【従来の技術】
従来、この種の棚装置として例えば実用新案登録第２５２９０５１号公報に記載されたものが知られている。
【０００３】
この棚装置は、商品を載置する棚板と、棚板が斜め前方に傾斜するよう支持する棚受けと、棚受けと棚板に連結して棚板を前後に摺動可能にする連結部材とを備えており、商品を棚板に補充する際は棚板を前方に引き出して棚板に商品を補充し、また、この補充作業を終えたときは棚板を後方に押し戻して元の位置に収納している。
【０００４】
【発明が解決しようとする課題】
ところで、棚板には商品が置かれているため、棚板に対して外部から振動衝撃が加わったときに棚板が不用意に上方に飛び出すことがないよう（棚板上の商品が上方に向かって飛び出さないよう）、棚板を棚受けに連結している。
【０００５】
しかしながら、棚受けの設置位置を変更するとき、棚板を清掃するとき等は、棚板を棚受けから分離できるようした方が便利である。
【０００６】
本発明の目的は前記従来の問題点に鑑み、棚板を棚受けから分離することでき、また、棚板が棚受けに載置されているときは衝撃等により棚板が上方へ飛び出すことがないショーケースの棚装置を提供することにある。
【０００７】
【課題を解決するための手段】
本発明は前記課題を解決するため、請求項１に係るショーケースの棚装置は、棚受けに前後方向に摺動自在に載置された棚板と、棚板と共に前後方向に摺動自在であり、棚板の前側と棚受けとの分離と係止を行う係脱部材と、棚板又は棚受けの一方に設置され前後方向に延在した棚板案内部材と、棚板又は棚受けの他方に設置され棚板が棚受け上に載置されているときは棚板案内部材に当たって棚板の上方への飛び出しを規制し、棚板が棚受けの前方に摺動したときは棚板案内部材から外れるよう形成した保持部材とを具備する構造となっている。
【０００８】
請求項１の発明によれば、棚板が棚受け上に載置されているときは、保持部材が棚板案内部材により保持されているため、棚板に外部から衝撃等が加わったときでも係脱部材と相俟って棚板が棚受けから飛び出すことがない。一方、棚板を棚受けの前方に摺動したときは保持部材が棚板案内部材から外れ、棚板を棚受けから取り外すことができる。
【０００９】
請求項２に係るショーケースの棚装置は、棚受けに前後方向に摺動自在に載置された棚板と、棚板と共に前後方向に摺動自在であり、棚板の前側と棚受けとの分離と係止を行う係脱部材と、棚受けの後端に設置され棚板の後端を着脱可能に挟持する挟持部材とを具備する構造となっている。
【００１０】
請求項２の発明によれば、棚板が棚受け上に載置されているときは、挟持部材が棚板の後端を挟持しており、棚板に外部から衝撃等が加わったときでも係脱部材と相俟って棚板が上方に飛び出すことがない。一方、棚板を棚受けの前方に摺動したときは、棚板が挟持部材から外れるため、棚板を棚受けから外すことができる。
【００１１】
請求項３に係るショーケースの棚装置は、棚受けに前後方向に摺動自在に載置された棚板と、棚板と共に前後方向に摺動自在であり、棚板の前側と棚受けとの分離と係止を行う係脱部材と、棚板又は棚受けの一方に設置され前後方向に延在した棚板案内部材と、棚板又は棚受けの他方に設置され棚板が棚受け上に載置されているときは棚板案内部材に当たって棚板の上方への飛び出しを規制し、棚板が棚受けの前方に摺動したときは棚板案内部材から外れるよう形成した保持部材と、棚受けの後端に設置され棚板の後端を着脱可能に挟持する挟持部材とを具備する構造となっている。
【００１２】
請求項３の発明によれば、棚板が棚受け上に載置されているときは、保持部材が棚板案内部材により保持され、また、挟持部材が棚板の後端を挟持しているため、棚板に外部から衝撃等が加わったときでも係脱部材と相俟って棚板が棚受けから飛び出すことがない。一方、棚板を棚受けの前方に摺動したときは保持部材が棚板案内部材から外れ、また、棚板が挟持部材から外れるため、棚板を棚受けから取り外すことができる。
【００１３】
【発明の実施の形態】
図１乃至図５は本発明に係るショーケースの棚装置の第１実施形態を示すもので、図１はショーケースを示す側面図、図２は棚板、棚受け及び連結部材の組み付け斜視図、図３は棚板の裏面側を示す斜視図、図４は係止部材を示す斜視図、図５は棚板の摺動操作及び取り外し操作を示す側面図である。
【００１４】
まず、図１を参照してショーケースの構造を簡単に説明する。図示されているショーケースは多段式のオープンショーケース１（以下、ショーケース１という）であり、棚装置２が庫内に７段配置されている。また、棚装置２にはボトル状の商品Ａが載置され、商品Ａが要冷蔵商品のときは冷却機器（庫内循環ファン１１、蒸発器１２等）により庫内が冷却される。
【００１５】
次に、庫内に設置された棚装置２の構造を図２乃至図５を参照して説明する。この棚装置２は商品Ａを載置する棚板２１と、棚板２１を左右で支持する棚受け２２と、棚板２１と棚受け２２とを連結する連結部材２３とを有している。
【００１６】
この棚板２１は上面を開口した偏平箱状となっており、その裏面の後側左右には、図３に示すように、棚板２１の外れ防止用の保持部材２１１を有している（なお、図３では棚板２１の左側の保持部材２１１のみを表示しているが、棚板２１の右側にも同様の保持部材２１１を有している）。この保持部材２１１はその上板２１１ａを棚板２１の裏面に固着する一方、下端に外方向に向かって屈曲した保持片２１１ｂを有し、この保持片２１１ｂは後述する棚板案内板２２３の上板２３３ｂの下方に位置しており、棚板２１の後部が棚受け２２から外れないようにしている。また、棚板２１の裏面には、図２及び図３に示すように、係止ワイヤ２１３が設置されている。この係止ワイヤ２１３は棚板２１の前側に横方向全体に亘って延在されており、左右両側をＬ字状に屈曲して後述する引っ掛け溝２３２ｂに係脱自在に嵌め込まれるようになっている。
【００１７】
棚受け２２はその上端が前端に向かうに従って低くなるよう斜めに形成されている（なお、図２及び図３では左側の棚受け２２のみを表示しているが、右側にも同様の棚受け２２を有している）。この棚受け２２の傾斜により、棚受け２２に支持されている棚板２１も、これと同様に前方に向かって斜めに傾斜した状態で載置されている。なお、このように棚板２１を前傾斜させることにより、最前列の商品Ａが販売されたとき、これに続く後方の商品Ａが順次前方に摺動して、商品Ａの先入れ先出しを実現している。
【００１８】
棚受け２２の上端は図２に示すように外方向に直角に屈曲しており、この屈曲片２２１上に滑り板２２２を設置し、滑り板２２２に載せられた棚板２１を滑らかに摺動させるようになっている。
【００１９】
棚板２２の内側側面には同じく上端に沿って前後に延在された棚板案内板２２３が設置されている。この棚板案内板２２３は棚受け２２の内側側面に固着されている固定片２２３ａと固定片２２３ａの上端から内側に向かって屈曲した案内片２２３ｂとからなり、この案内片２２３ｂの下方に前記保持部材２１１の保持片２１１ｂが位置している。これにより、棚板２１を前後方向に摺動する際、保持片２１１ｂが案内片２２３ｂにより前後に案内され、また、棚板２１に外部より（特に棚板２１の下方より）衝撃が加わったとしても保持片２１１ｂが案内片２２３ｂに当たるため、棚板２１が棚受け２２から飛び出すことがない。また、図５(c)に示すように、棚板２１を前方に摺動させるとき、保持片２１１ｂが棚板案内板２２３の先端位置から外れるよう設計されている。
【００２０】
なお、棚受け２２の後端には上下に複数の鉤状のフック２２４が形成されており、このフック２２４を図示しない棚柱の多数の引っ掛け穴のうち、所定の引っ掛け穴に係止することにより、棚装置２の設置位置（高さ位置）が決定される。
【００２１】
更に棚受け２２の先端側には図２及び図３に示すように係止溝２２５が形成されている。この係止溝２２５は棚受け２２を方形状に切り欠いて形成されており、後述する係止部材２４の係止部２４１が係脱自在となっている。
【００２２】
なお、棚板２１を載置する左右の棚受け２２は互いに連結枠２２６で連結されており、これにより、左右の棚受け２２の位置出しを容易にしている。
【００２３】
連結部材２３は、図２に示すように、前後方向に延在された摺動機構２３１と可動プレート２３２とから構成されている。この摺動機構２３１は周知のもので、固定プレート２３１ａと摺動プレート２３１ｂとの間に中プレート２３１ｃを介在し、中プレート２３１ｃと固定プレート２３１ａ及び摺動プレート２３１ｂとの間にベアリング２３１ｄを介装しており、これにより、摺動プレート２３１ｂを図２の双方向矢印に示すように前後に摺動させるようになっている。
【００２４】
一方、可動プレート２３２は前後方向に延在されたもので、摺動機構２３１側面及び上面を全体を覆うよう形成され、また、その側面には摺動機構２３１の摺動プレート２３１ｂに固着されている。これにより、摺動機構２３１の摺動プレート２３１ｂの前後方向への摺動により可動プレート２３２も前後に摺動するようになっている。また、可動プレート２３２はその前側を略Ｌの字状に屈曲してなり、可動プレート２３２の先端側に前方に向かって延在された取り付け片２３２ａが形成されている。この取り付け片２３２ａには上下に延在された引っ掛け溝２３２ｂが形成されている。また、引っ掛け溝２３２ｂは取り付け片２３２ａの上端から下方に向かって延び、その下端から更に前方に向かって僅かに延び、その前端から更に下方に向かって延びるよう形成されている。ここで、係止ワイヤ２１３の両端が引っ掛け溝２３２ｂに係止されたときは、棚板２１が係止ワイヤ２１３及び可動プレート２３２を介して摺動機構２３１に連結され、これにより、棚板２１が摺動機構２３１及び可動プレート２３２により前後方向に摺動自在となる。また、係止ワイヤ２１３が引っ掛け溝２３２ｂに係止することにより、棚板２１の前側が棚受け２２に係止状態となり、係止ワイヤ２１３及び引っ掛け溝２３２ｂが棚板２１の係脱部材として構成されている。
【００２５】
このように構成された可動プレート２３２には図４に示すように係止部材２４が設けられている。この係止部材２４は硬性を有する棒体で形成されたもので、その両端を外方向に屈曲して一方の端には係止溝２２５に係止可能な係止部２４１を有し、他方の端には手指操作可能な操作部２４２を有している。また、係止部材２４は取り付けブロック２４４に軸支され、上下方向に回動自在となっている。また、取り付け片２３２ａの側壁には係止部材２４が貫通し得る切り欠き２４６が形成されており、係止部２４１が切り欠き２４６を通じて係止溝２２５に係止可能になっている。なお、係止部材２４の重心をその回動中心よりも操作部２４２側に位置しており、これにより、係止部２４１が上方に向かって回転力が付与されており、常時は、係止部２４１が係止溝２２５に係止するよう設定されている。
【００２６】
次に、棚装置２の引き出し作業について主に図５(a)(b)(c)を参照して説明する。棚受け２２に棚板２１が載置されているときは、図５(a)に示すように係止部材２４の係止部２４１が係止溝２２５に係止されており、これにより、棚板２１の前方への移動が規制されている。また、棚板２１に外部から衝撃が加わったとしても保持片２１１ｂが案内片２２３ｂに当たるため、棚板２１が棚受け２２から飛び出すことがない。
【００２７】
ここで、棚板２１を前方に引き出すときは、まず、図５(b)に示すように、係止部材２４の操作部２４２を上方に向かって回転させる。これにより、図５(b)に示すように、係止部材２４の係止部２４１が下方に向かって回転し、係止部２４１が係止溝２２５から外れる。
【００２８】
このように係止部材２４の係止状態が解除されたときは、棚板２１を前方に向かって引く。これにより、図５(c)に示すように、棚板２１が摺動機構２３１によって前方に引き出される。このような状態で、例えば図１の３段目の棚装置２のように、商品Ａを補充すればよい。
【００２９】
商品補充作業が終了したときは、棚板２１を棚受け２２の奥に向かって押し込む。これにより、係止部材２４の係止部２４１が棚受け２２の先端側を乗り越え、図５(a)に示すように、係止溝２２５に再び係止される。
【００３０】
一方、各棚間隔の変更等により棚装置２の配置位置を変更するときや、棚板２１を清掃するときは、図５(c)に示すように、棚板２１を前方に引き出す。棚板２１を前方に引き出したとき保持片２１１ｂが棚板案内板２２３の先端から外れる。しかる後、棚板２１を持ち上げながら係止ワイヤ２１３を引っ掛け溝２３２ｂから外す。これにより、棚板２１が棚受け２２から分離され、棚板２１を容易に清掃することができる。一方、棚装置２の配置位置を変更するときは、この棚板２１の分離作業が終了した後、棚受け２２のフック２２４を棚柱から外し、棚受け２２を変更位置に対応する箇所に引っ掛ける。その後、棚板２１の係止ワイヤ２１３を引っ掛け溝２３２ｂに再度嵌め込み、棚板２１を押し込んで棚受け２２上に収納すればよい。
【００３１】
本実施形態によれば、棚板２１が棚受け２２に載置されているときは、棚板２１に外部より衝撃が加わったとしても保持片２１１ｂが案内片２２３ｂに当たるため、棚板２１が棚受け２２から飛び出すことがない。従って、棚板２１上の商品Ａを安定的に陳列販売することができる。
【００３２】
なお、本実施形態では棚板２１が棚受け２２に傾斜して収納された棚装置について説明したが、水平状態で棚板２１が収納される棚装置（図示しない）についても、本実施形態に係る移動規制構造を適用できることは勿論である。また、本実施形態では棚板案内板２２３を棚受け２２に設置し、保持部材２１１を棚板２１に設置しているが、これとは逆に、図示しないが、棚板案内板を棚板に設置し、保持部材を棚受けに設置しても良い。
【００３３】
図６及び図７は本発明に係るショーケースの棚装置の第２実施形態を示すもので、図６は棚板、棚受け及び連結部材の組み付け斜視図、図７は要部を示す断面図である。なお、前記第１実施形態の構成と同一構成部分は同一の符号を用い、その説明を省略する。
【００３４】
本実施形態に係るショーケースの棚装置は、前記第１実施形態に係る保持部材２１１及び棚板案内板２２３の代わりに挟持部材２５を設けた点にある。この挟持部材２５は弾性金属板で断面略コ字状に形成したもので、棚受け２２の後端上部に設置されている。挟持部材２５の上板２５１は、棚受け２２の屈曲片２２１及び滑り板２２２の上方に間隔をおいて延在されており、この間隔を棚板２１の底板２１４の厚みより多少狭くして底板２１４が挟み込まれるようになっている。また、この上板２５１の先端は棚板２１が抜き差しが容易になるよう斜め上方に屈曲している。また、上板２５１の後端は屈曲片２２１の上面から下面に向かって回り込んでおり、回り込んだ下板２５２が屈曲片２２１の下面に固着されている。なお、棚板２１の背板２１５で挟持部材２５と対応する箇所には上板２５１が貫くことができるよう間隙２１６を形成している。
【００３５】
本実施形態によれば、図７(a)に示すように、棚板２１が棚受け２２に載置されているときは、この棚板２１の後端が挟持部材２５により挟持され、外部から衝撃が加わっても棚板２１が上方に飛び出すことがない。一方、図７(b)に示すように、棚板２１が前方に摺動するときは、棚板２１が挟持部材２５から外れ棚板２１の取り外しが可能となる。
【００３６】
ところで、前記第１実施形態に係るショーケースの棚装置は、斜めに傾斜した棚板２１を連結部材２３により水平方向に摺動するため、棚板２１を前方向へ摺動するとき棚板２１の傾斜角度が徐々に緩やかになる。これに伴い、保持部材２１１の保持片２１１ｂと棚板案内板２２３の案内片２２３ｂとの間の対向距離が変化する（棚板２１が前方向に移動するに従って対向距離が狭くなる）。従って、保持片２１１ｂが棚板案内板２２３に当たらないよう、保持片２１１ｂと案内片２２３ｂとの対向距離は余裕を持たせて設計している。
【００３７】
しかしながら、その余裕を持たせた分、保持片２１１ｂと案内片２２３ｂとの間でガタが生じ易く、外部から衝撃が加わったときに棚板２１は外れはしないものの、棚板２１が上下に大きく振動し、棚板２１から商品Ａが落下するおそれがある。
【００３８】
本実施形態では、挟持部材２５は棚受け２２上の棚板２１を一時的に保持するだけであり、棚板２１の前後方向への移動に関与するものではないので、前記第１実施形態に係るショーケースの棚装置の欠点が解消されている。
【００３９】
なお、前記第１実施形態では棚板２１の飛び出し防止部材として、保持部材２１１と棚板案内板２２３を用い、前記第２実施形態では挟持部材２５を用いているが、これらの保持部材２１１、棚板案内部材２２３及び挟持部材２５の全ての備えた棚装置であっても良いことは勿論である。また、棚板２１は冷却用商品を載せるものでもよいし、また、ヒータ内蔵のホットプレートであってもよい。
【００４０】
【発明の効果】
以上説明したように、本発明によれば、棚板が棚受け上に載置されているとき、棚板に外部から衝撃等が加わったときでも、棚板が棚受けから外れることがない。また、棚板を棚受けの前方に摺動したときは棚板を外すことができるため、棚板の清掃作業や棚装置の配置位置の変更作業が容易にできる。
【図面の簡単な説明】
【図１】ショーケースを示す側面図
【図２】第１実施形態に係る棚板、棚受け及び連結部材の組み付け斜視図
【図３】第１実施形態に係る棚板の裏面側を示す斜視図
【図４】第１実施形態に係る係止部材を示す斜視図
【図５】第１実施形態に係る摺動操作及び取り外し操作を示す側面図
【図６】第２実施形態に係る棚板、棚受け及び連結部材の組み付け斜視図
【図７】第２実施形態に係る要部を示す断面図
【符号の説明】
１…オープンショーケース、２…棚装置、２１…棚板、２２…棚受け、２３…連結部材、２４…係止部材、２５…挟持部材、２１１…保持板、２１３…係止ワイヤ、２２３…棚板案内板、２３２ｂ…引っ掛け溝、Ａ…商品。
【図１】
0003856717.tif 000002
【図２】
0003856717.tif 000003
【図３】
0003856717.tif 000004
【図４】
0003856717.tif 000005
【図５】
0003856717.tif 000006
【図６】
0003856717.tif 000007
【図７】
0003856717.tif 000008